【事件の表示】
　特願２０００−２８６４３３「エンコーダ」拒絶査定不服審判事件〔平成１４年　２月　６日出願公開、特開２００２−　３９７９７〕について、次のとおり審決する。
【結　論】
　本件審判の請求は、成り立たない。
【理　由】
　１．手続の経緯・本願発明
  本願は、平成１２年９月２１日（パリ条約による優先権主張２０００年６月２０日、独国）の出願であって、その請求項１に係る発明（以下、「本願発明」という。）は、平成１４年６月２０日付け手続補正及び平成１８年４月２７日付け手続補正により補正された明細書及び図面の記載からみて、その特許請求の範囲の請求項１に記載された事項により特定される次のとおりのものである。
  「【請求項１】少なくとも１つのコードトラックをそなえた支持部材からなり、１つのコードトラック内に配置されたコードマークが信号を発生する１つのセンサユニットにより走査されるようになっている直線型エンコーダまたは回転型エンコーダであって、前記コードマークは、互いに等間隔に配置された複数のコードマークをそなえた第１グループのコードマークと、該第１グループのコードマークに重ねて形成され、前記コードトラック上に任意の間隔で配置されたそれぞれ複数のコードマークからなる領域をそなえたその他のグループのコードマークからなり、第１グループのコードマークおよびその他のグループのコードマークはそれぞれ光学濃度において検出可能な濃淡段階を有しており、前記１つのセンサユニットはデュアルチャネル式またはマルチチャネル式のセンサユニットで、該センサユニットにより走査することによって前記コードマークの各グループを検出することを特徴とするエンコーダ。但し、光学濃度とは、灰色度のほぼ１００％（濃い灰色）からほぼ０％（完全透明、完全反射性）までの灰色度の段階をいう。」
　なお、本願については、平成１４年１２月１０日付けの手続補正がなされたが、これは平成１７年１０月１８日付けの補正却下の決定により却下された。
　
　２．引用例
（１）これに対して、当審における、平成１７年１０月２８日付けで通知した拒絶の理由に引用した、本願の優先日前に頒布された刊行物である実願昭５３−１３７９２７号（実開昭５５−５５７０３号）のマイクロフィルム（以下、「引用例１」という。）には、図面とともに、以下の事項が記載されている。
　ア．「２．実用新案登録請求の範囲　発光素子と受光素子とが一対となつた回転子位置検出素子と、任意角度だけ透過率を変えた回転子位置検出用回転板に回転数検出用パルスに対応する透過率の変化を重畳した回転板とで構成し、その光電出力を回転子位置検出用と回転数検出用とに分離する回路を備えたことを特徴とするブラシレス直流モータ回転子位置および回転数同時検出装置。」（明細書１頁５〜１３行）
　イ．「本考案は光電変換方式を用いたブラシレス直流モータの回転子位置および回転数同時検出装置の改良に係わり、特に単一の回転板で回転子の位置と回転数との同時検出を可能にしてその構造を簡単にしようとするものである。」（明細書１頁１５〜１９行）
　ウ．「本考案は・・・回転子位置検出素子および従来例の透過率に他の透過率の変化を重畳した回転板で構成し、単一の回転板により回転子の位置と回転数とを同時に検出できるようにすることにより、上記の従来例の欠点を解消しようとするものである。以下本考案の一実施例を図面によって詳細に説明すると、第８図および第９図は３相２極ブラシレス直流モータの基本構成を示すのであって、フォトインタラプタ（２３ａ）、（２３ｂ）、（２３ｃ）は支持台（２６）に１２０°間隔で取付ける。第１０図のように斜線部で示す１２０°だけ発光波長に対して透過率が約５０％の半透明にし、かつ等角度で透明率に半透明部より２５％程度下げる変化を与えた回転子位置および回転数検出用回転板（２４）はボス（２５）を介してモータシャフト（２８）に取付ける。また回転板（２４）は第９図に示すように、フォトインタラプタ（２３ａ）、（２３ｂ）、（２３ｃ）の発光部と受光部との中間に配置する。・・・第１０図に示す回転子位置および回転数検出用回転板（２４）による透過光量の変化は第１２図の（Ｃ）、（Ｄ）、（Ｅ）で示す電圧波形のように負荷抵抗（３０）、（３３）、（３６）を通してフォトインタラプタ（２３ａ）、（２３ｂ）、（２３ｃ）の受光部のコレクタに現われる。・・・一方、回転数検出については、フォトインタラプタ（２３ａ）、（２３ｂ）、（２３ｃ）のダイオード（４２）、（４３）、（４４）のオア出力を抵抗（４５）、（５５）を通してトランジスタ（４６）に加えることにより回転子位置検出用信号に重畳されている回転数検出用信号を増幅し、負荷抵抗（４７）には第１２図（Ａ）で示される電圧波形が現われる。またこの信号はコンデンサ（４８）を介して・・・第１２図（Ｂ）に示すようにパルスが規格化される。」（明細書５頁６行〜７頁６行）
　エ．「なお、本考案は上記の実施例に限られず、次の場合にも適用できるのはいうまでもない。（１）・・・するもの。（２）第１３図に示すように１２０°毎に透過率を変えた回転子位置検出用検出板において、単一のフォトインタラプタの出力により電圧レベル判定を行ない、各電機子巻線を駆動する回転子位置を検出すると共に同一回転板にて等間隔で透過率を変えることによりフォトインタラプタの出力で回転数を検出するようにしたもの。」（明細書７頁１６行〜８頁６行）
　オ．「４．図面の簡単な説明・・・第８図ないし第１３図は本考案の実施例について示すのであって、・・・、第１０図は回転子位置および回転数検出用回転板の平面図、・・・、第１３図は他の回転子位置および回転数検出用回転板の平面図である。」（明細書８頁７行〜９頁４行）
　カ．図面の第１３図には、回転子位置および回転数検出用回転板２４は、１２０°毎に３つに分けられた領域のうち２つの領域にはそれぞれ異なる斜線が描かれており、かつ、３６本の実線が等角度間隔で描かれている。
　
　そうすると、上記記載事項エ及びカによれば、第１３図に示された回転子位置および回転数検出用回転板２４は、回転子位置検出用に１２０°毎に透過率を変えたものに、回転数検出用パルスに対応する等角度間隔で３６個所に透過率の変化を重畳したものであることが読み取れる。
　したがって、上記記載事項ア〜オからみて、引用例１には、第１３図に示された他の実施例として、次のとおりの発明（以下、「引用発明」という。）が記載されているものと認める。
「発光素子と受光素子とが一対となつた単一のフォトインタラプタと、回転子位置検出用に１２０°毎に透過率を変えたものに、回転数検出用パルスに対応する等角度間隔で３６個所に透過率の変化を重畳した回転子位置および回転数検出用回転板２４とを有し、前記単一のフォトインタラプタの出力により回転子位置を検出すると共に回転数を検出するブラシレス直流モータ回転子位置および回転数同時検出装置。」
　
（２）同じく引用した、本願の優先日前に頒布された刊行物である特開平３−１４０８２１号公報（以下、「引用例２」という。）には、図面とともに、以下の事項が記載されている。
　ア．「本発明は、回転角に応じた角度信号と、０度を表す基準位置信号に基づいてパルススケールの回転角を検出する光ロータリーエンコーダに関する。」（１頁右下欄１６〜１８行）
　イ．「第１図は本発明の一実施例を示すフローシート、第２図はその要部を示す部分拡大図、第３図は信号波形とパルス幅の関係を示すグラフである。本例は、透過型の光ロータリーエンコーダに適用した場合を示し、パルススケール１には、その円周方向に沿って透光部となるスリット２、２・・・を所定間隔で設けたコードパターンＣｏが形成されている。そして、例えば６気筒エンジンのクランク角センサとして使用する場合、スリット２、２・・・は、６０度間隔で形成されて基準位置信号Ｓ２を出力する特定のスリット２ａを除くその他のスリット２に透過光を減衰させる減衰膜が形成されている。すなわち、コードパターンＣｏは、例えば、円形のガラス板で成るパルススケール１の表面にクロムを蒸着させ、スリット２の部分は蒸着されるクロムの膜厚をコントロールして減衰膜に形成され、前記特定のスリット２ａは、クロムが蒸着されず、ガラス地のまま露出されている。したがって、スリット２を透して角度信号Ｓ１となるピークレベルＰ１の低い光パルス信号が出力されると共に、特定のスリット２ａを透して角度信号Ｓ１及び基準位置信号Ｓ２となるピークレベルＰ２の高い光パルス信号が一定の周期で出力され、強弱の異なる信号が混在する一系統の光パルス信号として出力される。」（３頁左下欄１７行〜４頁左上欄２行）
　ウ．「制御装置３には、一対の発光素子４及び受光素子５が配設され、一端を発光素子４及び受光素子５に接続した発光用光ファイバ６及び受光用光ファイバ７の他端側が、前記コードパターンＣｏに対向して配設されている。・・・したがって、第３図に示すように、受光素子５に角度信号Ｓ１及び基準位置信号Ｓ２が重畳されて入力された光信号波を光電変換して、各信号処理部８及び９によって、角度信号Ｓ１と、基準位置信号Ｓ２とに分離することができる。」（４頁右上欄１行〜左下欄８行）
　
（３）同じく引用した、本願の優先日前に頒布された刊行物である特開平７−３１１０５６号公報（以下、「引用例３」という。）には、図面とともに、以下の事項が記載されている。
　ア．「本発明は、ロータの回転速度に対応する信号としてＦＧ信号またはロータの回転位置に対応する信号としてＰＧ信号を発生させるブラシレスモータの信号発生装置に関する。」（段落【０００１】）
　イ．「以下、本発明の第１の実施例について図１及び図２を参照しながら説明する。まず、ブラシレスモータの概略全体構成を示す図２において、固定側（ステータ側）の固定筒体１１の上部には、制御回路や駆動回路等の電子部品を装着したプリント配線基板１２が取付けられている。・・・【００１２】また、上記固定筒体１１には、ロータ１７のシャフト１８がベアリング１９を介して回転自在に設けられている。上記シャフト１８の上端部には、ロータ１７のロータフレーム２０がねじ止めにより取付けられている。・・・【００１３】さて、上記ロータフレーム２０の外周部である外周壁部のうちの図２中下端部には、環状（リング状）の光透過部材２３が一体に設けられている。この光透過部材２３は、例えば半透明プラスチックから構成されており、厚みに応じて光透過率が変化する特性を有している。上記光透過部材２３の一部分を、図１（ｂ）及び（ｃ）に示す。この図１（ｂ）及び（ｃ）においては、実際には環状の遮光部材２３を直線状に延ばした状態で示している。この場合、遮光部材２３には、多数の凸部２４が外側へ突出するように形成されている。これら多数の凸部２４は、連続するように設けられた高さの低い低凸部２４ａと、連続する低凸部２４ａの間に設けられた高さの高い高凸部２４ｂ（図１（ｂ）及び（ｃ）では、左端部に１個のみ図示している）とからなる。この構成では、高凸部２４ｂがＰＧ信号を発生させるためのＰＧ信号発生部であり、低凸部２４ａがＦＧ信号を発生させるためのＦＧ信号発生部である。この場合、上記ＰＧ信号発生部２４ｂ及びＦＧ信号発生部２４ａ部分の厚み寸法は、光透過部材２３の残りの部分の厚み寸法よりも厚くなる構成となっている。そして、ＰＧ信号発生部２４ｂ部分の厚み寸法は、ＦＧ信号発生部２４ａ部分の厚み寸法よりも更に厚くなるように構成されている。【００１４】一方、プリント配線基板１２上の図２中右端部には、透過形光センサである例えばフォトインタラプタ２５がロータフレーム２０の光透過部材２３を挟むように取付けられている。このフォトインタラプタ２５は、全体としてほぼコ字状をなしており、その一端部に発光素子が設けられていると共に、他端部に受光素子が設けられている。この構成では、フォトインタラプタ２５の発光素子から発光された光が光透過部材２３に照射されて該光透過部材２３内を透過した後、その透過光がフォトインタラプタ２５の受光素子に受光されるように構成されている。ここで、ＰＧ信号発生部２４ｂ部分の厚み寸法が最も厚く、ＦＧ信号発生部２４ａ部分の厚み寸法が次いで厚く、光透過部材２３の残りの部分の厚み寸法が最も薄い構成であるので、フォトインタラプタ２５の受光素子が受ける透過光の強さは、光透過部材２３の残りの部分がフォトインタラプタ２５の素子間に位置したときが最も強く、次いでＦＧ信号発生部２４ａ部分がフォトインタラプタ２５の素子間に位置したときが強く、ＰＧ信号発生部２４ｂ部分がフォトインタラプタ２５の素子間に位置したときが最も弱くなる。【００１５】この結果、ロータ１７が回転されて光透光部材２３が回転されると、フォトインタラプタ２５の受光素子は、図１（ａ）に示すような受光信号を出力する構成となっている。この受光信号において、ＰＧ信号発生部２４ｂに対応する部分，即ち、電圧レベルの最も低い部分ＡがＰＧ信号であり、ＦＧ信号発生部２４ａに対応する部分、即ち、電圧レベルが中ぐらい部分ＢがＦＧ信号である。」（段落【００１１】〜【００１５】）
　
　３．対比
　本願発明と引用発明とを対比する。
　（１）引用発明の「回転子位置および回転数同時検出装置」は、回転型エンコーダにあたるから、本願発明の「エンコーダ」に相当し、また、本願発明の「直線型エンコーダまたは回転型エンコーダ」に含まれる。
　（２）引用発明の「回転子位置および回転数検出用回転板２４」、「フォトインタラプタ」は、それぞれ本願発明の「支持部材」、「センサユニット」に相当する。そして、引用発明も、１つのコードトラックをそなえ、１つのセンサユニットにより走査されるものである。
　（３）引用発明における、回転数パルス用に等角度間隔で３６個所に透過率の変化を重畳した部分は、１２０°毎に透過率を変えたものに重畳されているので、結局、前記３６個所の部分は、１２０°毎の、すなわち１２個所ずつの３つのグループに分かれ、各グループは、異なる透過率を有している。
　そうすると、引用発明の上記「３６個所」の部分が、本願発明の「コードマーク」に相当し、また、異なる透過率を有していることは、本願発明でいう「光学濃度において検出可能な濃淡段階」を有していることに他ならない。
　そして、上記３つのグループに分かれた中の１つが、本願発明の「互いに等間隔に配置された複数のコードマークをそなえた第１グループのコードマーク」に相当し、残りの２つが、本願発明の「複数のコードマークからなる領域をそなえたその他のグループのコードマーク」に相当する。
　（４）引用発明では、単一のフォトインタラプタの出力により回転子位置を検出すると共に回転数を検出するようにしたものであって、回転子位置を検出することは、上記３つのグループを検出することに他ならないが、単一のフォトインタラプタの出力により検出するための具体的構成は不明である。
　以上（１）〜（４）の考察から、両者は、次の一致点及び相違点を有する。
【一致点】
「少なくとも１つのコードトラックをそなえた支持部材からなり、１つのコードトラック内に配置されたコードマークが信号を発生する１つのセンサユニットにより走査されるようになっている直線型エンコーダまたは回転型エンコーダであって、前記コードマークは、互いに等間隔に配置された複数のコードマークをそなえた第１グループのコードマークと、該第１グループのコードマークに重ねて形成され、前記コードトラック上に所定の間隔で配置されたそれぞれ複数のコードマークからなる領域をそなえたその他のグループのコードマークからなり、第１グループのコードマークおよびその他のグループのコードマークはそれぞれ光学濃度において検出可能な濃淡段階を有しており、前記１つのセンサユニットにより走査することによって前記コードマークの各グループを検出することを特徴とするエンコーダ。但し、光学濃度とは、灰色度のほぼ１００％（濃い灰色）からほぼ０％（完全透明、完全反射性）までの灰色度の段階をいう。」
【相違点】
　相違点１：所定の間隔について、本願発明では、任意の間隔で配置されたものであるのに対し、引用発明では、１２０°毎の等間隔で配置されている点。
　相違点２：１つのセンサユニットについて、本願発明では、デュアルチャネル式またはマルチチャネル式のセンサユニットであるのに対して、引用発明では、その具体的構成が不明である点。
　
　４．判断
　上記相違点について検討する。
　相違点１については、引用例１には、「任意角度だけ透過率を変えた回転子位置検出用回転板に」（上記記載事項ア参照）と記載されており、この記載によれば、引用例１には、引用発明として認定した、第１３図に示された他の実施例における１２０°毎の等角度間隔のものに必ずしも限定して記載されているのではなく、任意角度間隔であるものも示唆されているというべきであるから、引用発明の１２０°毎の等間隔で配置されたものを任意角度間隔に変更して本願発明のごとく構成することは、当業者が容易になし得たものである。
　次に、相違点２については、例えば、上記引用例２、３に記載されているごとく、１つのコードトラック内に配置された、光学濃度において検出可能な異なる濃淡段階のコードマークを、１つのセンサユニットにより走査することにより、異なる濃淡段階別のコードマーク信号として区別した検出信号を得る点は、周知技術である。そして、引用発明の３６個所の部分も、前記周知技術におけるコードマークも、共に異なる透過率すなわち濃淡段階のコードマークである点で共通するから、前記周知技術を引用発明に適用することに困難性はない。したがって、引用発明に、引用例２、３記載の周知技術を適用して、本願発明のごとくデュアルチャネル式またはマルチチャネル式のセンサユニットとして構成することは当業者であれば容易になし得たものである。
　
　そして、本願発明の奏する効果も、引用例１に記載された事項及び引用例２、３記載の周知技術に基づいて当業者が予測できる範囲内のものである。
  したがって、本願発明は、引用発明及び引用例２、３記載の周知技術に基いて当業者が容易に発明をすることができたものである。
　
　５．むすび
　以上のとおりであるから、本願発明は、特許法第２９条第２項の規定により特許を受けることができない。
　よって、結論のとおり審決する。